(57)【特許請求の範囲】
【請求項１】
一端に袋口（１２ａ）を有する可撓性袋（１２）と、
袋（１２）内に設けられて、袋（１２）の中身が袋口（１２ａ）を通じて流出するのを実質的に防ぐ安全バルブとを有するパウチ（１０）であって、
前記安全バルブが、
各シートが、袋口（１２ａ）の近傍で袋（１２）の壁に固定された近位端と、袋の長軸（Ｄｌ）方向に基端と反対側の遠位端とを有する、第１シート対（２２）と、
各シートが第１シート対（２２）の内側で延在し、袋口（１２ａ）の近傍に存在する基端と、前記長軸（Ｄｌ）方向に、第１シート対（２２）の末端よりも袋口（１２ａ）に近い末端（２４ａ）とを有する、第２シート対（２４）と、
各シートが第２シート対（２４）の内側で延在し、袋口（１２ａ）の近傍に存在する基端と、前記長軸（Ｄｌ）方向に、第２シート対（２４）の末端よりも袋口（１２ａ）に近い遠位端（２６ａ）とを有する、第３シート対（２６）とを有し、
第１シート対（２２）のシートと第２シート対（２４）のシートとは、シート対（２４）のシートの末端（２４ａ）近傍の複数の第１接合点（２５）において、局所的に互いに対して接合され、且つ、第２シート対（２４）のシート同士は、当該複数の第１接合点（２５）において局所的に互いに対して接合されており、前記複数の第１接合点（２５）は、互いに対して離隔していると共に、第３シート対（２６）のシートと、第１シート対（２２）または第２シート対（２４）のシートとを接合せず、
第１シート対（２２）、第２シート対（２４）及び第３シート対（２６）のシートは、互いに対して離隔した複数の第２接合点（２７）において局所的に互いに対して接合され、且つ、第３シート対（２６）のシート同士は、当該複数の第２接合点（２７）において局所的に互いに対して接合されており、
前記複数の第１接合点（２５）と第２シート対（２４）のシートの末端との間の距離が、袋（１２）の横軸（Ｄｔ）に沿って変化する、パウチ。
【請求項２】
前記複数の第１接合点が、
第２シート対（２４）のシートの末端（２４ａ）と平行に並ぶ、第１接合点（２５ａ）の第１組と、
前記第１組の第１接合点（２５ａ）よりさらに前記末端（２４ａ）から遠い、第１接合点（２５ｂ）の第２組とを有する、請求項１に記載のパウチ。
【請求項３】
前記第２組の第１接合点（２５ｂ）が、前記第１組の第１接合点（２５ａ）に対して千鳥配置されている、請求項２に記載のパウチ。
【請求項４】
前記複数の第２接合点（２７）といずれかのシート対のシートの末端との間の距離が、前記横軸（Ｄｔ）に沿って変化する、請求項１〜３のいずれか１項に記載のパウチ。
【請求項５】
前記複数の第２接合点（２７）が、
いずれかのシート対のシートの末端と平行に並ぶ、第２接合点（２７ａ）の第１組と、
前記第１組の第２接合点（２７ａ）よりさらに前記末端から遠い、第２接合点（２７ｂ）の第２組とを有する、請求項４に記載のパウチ。
【請求項６】
前記第２組の第２接合点（２７ｂ）が、前記第１組の第２接合点（２７ａ）に対して千鳥配置されている、請求項５に記載のパウチ。
【請求項７】
二つの隣り合う第１接合点（２５）の間隔（ｅ１、ｅ２、ｅ３）と、二つの隣り合う第２接合点（２７）の間隔（ｅ１’、ｅ２’、ｅ３’）とが、前記横軸（Ｄｔ）に沿って同じ方向に増加する、請求項１〜６のいずれか１項に記載のパウチ。
【請求項８】
第１シート対（２２）、第２シート対（２４）及び第３シート対（２６）のシートは、ポリエチレンのシートである、請求項１〜７のいずれか１項に記載のパウチ。
【発明の詳細な説明】
【技術分野】
【０００１】
本発明は、一方端に袋口を有する可撓性袋と、袋内に設けられて袋の中身が袋口を通じて流出することを防ぐ安全バルブとを有するパウチに関する。
【背景技術】
【０００２】
この種のパウチは、例えば欧州特許第０７４８６２０号または第０８４７７４２号に記載されている。このようなパウチは、一般的に液体状の物質、特に尿や吐瀉物などの人間や動物に由来する廃棄物を入れるために用いられる。
【０００３】
パウチは、プラスチック素材（ポリエチレン等）や他の可撓性素材からなる薄いシートによって形成されることが多い。前記パウチは、袋内に設けられ、例えばパウチが誤って上下反対になった時などに、袋の中身が袋口を通じて流出することを実質的に防ぐ、安全バルブを有する。
【０００４】
このようなバルブは、（直線状または略直線上の）末端の一つに平行かつその近傍に設けられた複数の接合点において局所的に接合され、互いに対して等距離の、少なくとも二枚のシートを、入れ子状に複数対有する。例えば、前記シートはプラスチック素材の薄いシートであり、前記接合点はプラスチック素材を局所的に溶かすことで設けられる。
【０００５】
この構成により、袋の中の液体は、原理的には、袋の複数の壁とバルブの外側のシート対との間の空間を出ることはない。さらに、バルブが複数の重なり合ったシート対を有することから、少量の液体が外側のシート対と、その内側で入れ子状になったシート対との間を貫通しても、液体は通常これら二つのシート対の間に留まる。
【０００６】
接合点の構成に関する多くの試験を経て、本発明の発明者は、接合点間の間隔が、バルブの動作に決定的な影響を及ぼすことを見出した。
【０００７】
特に、接合点の構成は、以下の二つの互いに矛盾した目的の間で良好な妥協点が得られるように決定される。これら二つの目的の一つは、液体がパウチに注入される際の流路を良好に確保することであり、もう一つは、液体が袋に入った後で液体の流路を阻害するまたは塞ぐことである。
【０００８】
本発明の発明者は、袋内の液体の流路を阻害するまたは塞ぐバルブの能力が、袋口と平行な方向、すなわち液体がパウチに注入される方向に直交する方向における、接合点間の間隔に依存することを見出した。
【０００９】
しかし、前記のようなタイプのパウチでは、接合点は単にシートの末端に平行な方向に並んでいて、液体がパウチに注入される方向に直交する方向における接合点間の間隔は狭く、これによって袋内の液体の漏れを防いでいる。
【００１０】
この構成には以下のような欠点がある。
【００１１】
接合点間の間隔が狭いと、液体がパウチに挿入される際の流路を限定してしまい、パウチの正しい使用を阻害する。
【００１２】
さらに、液体が固体要素（吐瀉物内の固体要素、尿内の血餅等）を含んでいる場合、接合点がそのような固体要素の通過を阻害するまたは阻止してしまう。
【発明の概要】
【発明が解決しようとする課題】
【００１３】
本発明は、前記の欠点を解消するためになされたものである。本発明の目的は、接合点間を固体要素がより容易に通過できる安全バルブを有するパウチを提供することである。
【課題を解決するための手段】
【００１４】
本発明の目的は、一端に袋口を有する可撓性袋と、袋内に設けられて、袋の中身が袋口を通じて流出するのを実質的に防ぐ安全バルブとを有するパウチであって、前記安全バルブが、各シートが、袋口の近傍で袋の壁に固定された基端と、袋の長軸方向に基端と反対側の末端とを有する第１シート対と、各シートが第１シート対の内側で延在し、袋口の近傍に存在する基端と、前記長軸方向に、第１シート対の末端よりも袋口に近い末端とを有する第２シート対と、各シートが第２シート対の内側で延在し、袋口の近傍に存在する基端と、前記長軸方向に、第２シート対の末端よりも袋口に近い末端とを有する第３シート対とを有し、第１シート対のシートと第２シート対のシートとは、シート対のシートの末端近傍の複数の第１接合点において、局所的に互いに対して接合され、前記複数の第１接合点は、互いに対して離隔していると共に、第３シート対のシートと、第１シート対または第２シート対のシートとを接合せず、第１シート対、第２シート対及び第３シート対のシートは、互いに対して離隔した複数の第２接合点において局所的に互いに対して接合され、前記複数の第１接合点と第２シート対のシートの末端との間の距離が、袋の横軸に沿って変化する、パウチによって達成される。
【００１５】
この構成により、横軸方向（すなわち物質のパウチに挿入する方向に直交する方向）に沿った第１接合点の間隔を狭く保って、パウチ内の液体の通過を阻害または阻止しつつ、第１接合点の間隔を広くして、固体要素の通過を容易にすることができる。本記載において、二つの隣り合う接合点の「間隔」または「距離」とは、それら二つの接合点の間の直線の線分の長さを意味する。前記パウチは、吐瀉物や結石を含む尿などの固体要素を含む液体混合物一般を入れる際に、より衛生的に使用することが可能である。さらに、血液や血餅を含む尿などの濃度の高い液体と別の液体とからなる乳状液を入れるのにパウチを用いる場合、濃度の高い液体の通過が容易なことから、パウチをより衛生的に使用することが可能である。
【００１６】
一可能性として、前記第１接合点が、第２シート対のシートの末端と平行に並ぶ、第１接合点の第１組と、第１組の第１接合点よりさらに前記末端から遠い、第１接合点の第２組とを有する。
【００１７】
それぞれが第２シート対のシートの末端と平行に並ぶ第１組と第２組とをそれぞれ形成するように、第１接合点の二つの列を互いに対してずれて設ければよいので、パウチの作成を簡単に行うことができる。
【００１８】
さらに、シートの末端近傍に全ての第１接合点が平行に並ぶ場合と比較して、バルブの液密性の低下を引き起こす、第１接合点の存在による素材の望ましくない変形や収縮が低減される。
【００１９】
一可能性として、第２組の第１接合点が、第１組の第１接合点に対して千鳥配置されている。
【００２０】
この構成により、シートの素材の変形が均等に分散される。よって、バルブの液密性と強度とが向上する。
【００２１】
本発明において、前記バルブは、各シートが第２シート対の内側で延在し、袋口の近傍に存在する基端と、前記長軸方向に、第２シート対の末端よりも袋口に近い末端とを有する、第３シート対を有する。
【００２２】
第３シート対と複数の第２接合点の存在により、第３シート対と複数の第２接合点とが袋内の液体の流路の形成をさらに阻害することで、バルブの液密性がさらに向上する。
【００２３】
本発明において、第１接合点は、第１及び第２シート対のシートを局所的に互いに対して接合し、第２接合点は、第１、第２及び第３シート対のシートを局所的に互いに対して接合する。
【００２４】
このようにして、バルブの液密性がさらに向上する。
【００２５】
一可能性として、複数の第２接合点といずれかのシート対のシートの末端との間の距離が、前記横軸に沿って変化する。
【００２６】
一可能性として、前記複数の第２接合点が、いずれかのシート対のシートの末端と平行に並ぶ、第２接合点の第１組と、第１組の第２接合点よりさらに前記末端から遠い、第２接合点の第２組とを有する。
【００２７】
一可能性として、第２組の第２接合点が、第１組の第２接合点に対して千鳥配置されている。
【００２８】
第１接合点に関する前記利点は、第２接合点についても同様である。
【００２９】
一可能性として、二つの隣り合う第１接合点の間隔と、二つの隣り合う第２接合点の間隔とが、前記横軸に沿って同じ方向に増加する。
【００３０】
前記の様々な実施形態により定義された本発明のパウチは、下記の効果を奏する。
【００３１】
第１接合点間に広い空間があるため、固体要素の通過が非常に容易になる。さらに、血液又は血餅を含む尿などの濃度の高い液体と別の液体とからなる乳状液を入れるのにパウチを用いる場合、濃度の高い液体の通過が容易である。これによって、パウチを衛生的に使用することができる。
【００３２】
さらに、血液又は血餅を含む尿などの液体と別の液体とからなる乳状液を入れるのにパウチを用いる場合、二種類の液体を分けることが容易である。特に、これらの液体の濃度が著しく異なる場合、パウチが平行な方向に対して傾いたとき（すなわち、横軸が垂直方向に対して約３０度から６０度の角度を形成するように）、最も離れた接合点が下になったとき、液体は重力によって分離される。
【００３３】
本発明とその利点は、非限定的な例示によって提示される下記実施形態の詳細な説明によって、よりよく理解されるであろう。この説明は下記に示す添付の図面を参照する。
【図面の簡単な説明】
【００３４】
【図１】図１は、平坦状態にある第１実施形態のパウチを示す。
【図２】図２は図１のゾーンＩＩの拡大図であって、バルブをより明確に示す。
【図３】図３は、平坦状態にある第２実施形態のパウチを示す。
【図４】図４は図３のゾーンＩＶの拡大図であって、バルブをより明確に示す。
【図５】図５は同じゾーンの拡大図であって、第３実施形態のバルブを示す。
【発明を実施するための形態】
【００３５】
図１に記載のパウチ１０は可撓性袋１２を有する。特に、この袋は、適切に切り出され、溶着線１４でその輪郭のほぼ全体で互いに対して溶着された、プラスチック素材製の二枚の薄いシートからなる。袋１２は、袋内の空間が外部と連通するように溶着線１４を中断することで形成された袋口１２ａを有する。
【００３６】
図示の例では、この袋口は、袋の幅が狭まった部分である、袋の首部１６の自由端に形成される。
【００３７】
袋１２は、保管の容易な平坦状態から、廃棄物を受容可能な使用状態に変わることができる。
【００３８】
一例として、袋を形成するシートは、ポリエチレンなどの可撓性プラスチック素材からなる。
【００３９】
前記パウチは、袋口１２ａを通して固定され、袋の外に突出した補強カラー１８を有する。
【００４０】
カラー１８は、袋口１２ａを通じて袋１２に固定され、平坦状態から使用状態への変形が可能で、廃棄物を挿入する経路を形成可能なものであれば、いかなる形状でもよい。一例として、これらの目的に沿ったカラーは、欧州特許第０８４７７４２号またはフランス特許第２９９５２１０号に記載されている。
【００４１】
図１からさらに分かるように、袋口に対向する部分において、溶着線１４は、ドット状の複数の微小穴からなる脆弱線１５ａを有する。この脆弱線は溶着線を超えるところまで延びるが、袋内のスペースには達しない。パウチが廃棄物で一杯になると、裂け目が袋内の空間に達するのに十分な力で袋を脆弱線１５ａに沿って裂いて、パウチを空にする。
【００４２】
さらに、袋口に近い辺の一つにおいて、溶着線１４は、不連続な穴からなる別の脆弱線１５ｂを有する。この線は袋の内部空間から離れており、この線に沿って形成した裂け目が袋の内側に達しないような方向に設けられている。よって、パウチが満杯になったがパウチを空にする前に保管しておく必要がある場合、線１５ｂに沿って裂け目を形成することで、パウチをフック等にかけておくことができるようなスロットを設けることができる。
【００４３】
図１から分かるように、パウチは、パウチの各壁に対向するように設けられたいくつかの内側シートからなる安全バルブを有する。
【００４４】
図示の例では、バルブは、袋１２の長軸Ｄｌに沿って袋口１２ａからパウチの中間部まで延びる第１シート対２２と、第１シート対２２の内部で延在する第２シート対２４とを有し、第２シート対２４は第１シート対２２より短い。
【００４５】
袋が使用状態になると、液体が袋１２の長軸Ｄｌと略平行な方向に注入される。
【００４６】
前記シートは、それらが存在し、互いに対しておよび袋の壁に対して溶着線１４で溶着される部分において、パウチの幅全体に渡って延在する。
【００４７】
特に、第１、第２シート対２２、２４の各シートの基端（袋口１２ａに近い端）は、溶着線１４によって、袋１２の袋口１２ａ近傍の壁に固定される。
【００４８】
図１に示すように、第１シート対２２のシートと第２シート対２４のシートとは、シート対２４のシートの（略直線状の）末端２４ａ近傍の複数の第１接合点２５において、局所的に互いに対して接合される。
【００４９】
第１、第２シート対２２、２４のシートは、プラスチック素材からなるものであってもよい（例えばポリエチレン製の薄いシート）。この場合、第１接合点２５はプラスチック素材を局所的に溶かすことで設けられる。
【００５０】
本発明は、第１接合点２５の構成に最も関連する。
【００５１】
よって、図２に明確に示すように、複数の第１接合点２５は、第１接合点２５とシート対２４の各シートの末端２４ａとの距離が、袋の横軸Ｄｔに沿って変化するように構成されている。
【００５２】
本発明において、「第１接合点２５と末端２４ａとの距離」は、「第１接合点２５と末端２４ａとの最短距離」を意味する。
【００５３】
図示の例において、複数の第１接合点２５は、シート対２４のシートの末端２４ａに平行な方向に並び、末端２４ａから距離ｄａだけ離れた、第１接合点２５ａの第１組と、末端２４ａから距離ｄａより長い距離ｄｂだけ離れた第１接合点２５ｂの第２組とを有する。
【００５４】
この構成により、図２に符号ｅで示す、横軸Ｄｔ（すなわち液体挿入軸に略直交する方向）に平行な第１接合点２５間の間隔が、バルブの良好な液密性を保証できる程度の短さに保たれる一方、第１接合点２５ａと第１接合点２５ｂとの間の距離ｌが、固体要素が通過可能な程度に広くなる。言い換えると、前記構成により、バルブの液密性を担保しつつ、第１接合点２５ａと第１接合点２５ｂとの間に、固体要素が通過するのに十分な空間を確保することができる。
【００５５】
さらに、第１接合点２５が、第１組よりさらに末端２４ａから遠い第１接合点２５ｂの第２組を有することで、末端は接合点の存在によって変形しにくく、略直線状の形状を維持する。このようにして、バルブの液密性が向上する。
【００５６】
図示の例では、接合点２５ｂは末端２４ａと平行に並ぶ。これ以外にも、接合点２５ｂが末端２４ａに平行でない方向に並ぶ構成や、接合点が並ばない構成なども可能である。図示の例では、接合点２５ｂは接合点２５ａに対して千鳥配置されている。換言すると、接合点２５ｂは、末端２４ａに平行に並び、接合点２５ａに対してずれて配置される。この場合、任意の隣り合う接合点２５ａ間の横軸Ｄｔに平行な間隔と、任意の隣り合う接合点２５ｂ間の横軸Ｄｔに平行な間隔とは同じである。
【００５７】
この構成により、第１、第２対２２、２４のシートの素材のいかなる変形も均等に分散する。よって、バルブの液密性と強度とが向上する。
【００５８】
前記間隔は、本発明の範囲内において異なる構成であってもよい。
【００５９】
第２実施形態において、図３に示すように、バルブは、その存在領域においてパウチの幅全体に延在し、溶着線１４で袋の壁に溶着される、第３シート対２６を有する。特に、シート対２６のシートの（袋口１２ａに近い）基端は、溶着線１４によって、袋口１２ａ近傍の袋の壁に固定される。
【００６０】
第３シート対２６はシート対２４の内部で延在し、第３シート対２６のシートはシート対２４のシートより短い。第１、第２シート対２２、２４のシートは、前記のように、第１接合点２５で局所的に互いに対して接合される。
【００６１】
シート対２６の末端２６ａ近傍の複数の第２接合点２７において、第１、第２、第３シート対２２、２４、２６は局所的に互いに対して接合される。
【００６２】
第３シート対２６のシートは、プラスチック素材からなるものであってもよい（例えばポリエチレン製の薄いシート）。この場合、第２接合点２７はプラスチック素材を局所的に溶かすことで設けられる。
【００６３】
第３シート対２６のシートは、第２シート対２４のシートによって規定される袋１２の内部容積内で延在する。
【００６４】
このように、第１接合点２５は、第１、第２シート対２２、２４のシートのみを局所的に互いに対して接合し、第２接合点２７は、第１、第２、第３シート対２２、２４、２６のシートを局所的に互いに対して接合することが分かる。第１接合点２５は、第３シート対２６のシートと、第１シート対２２または第２シート対２４のシートとを互いに対して接合しない。第１接合点２５は、第１、第２シート対２２、２４のシートを互いに固定するが、第３シート対２６のシートは第１接合点２５によって第１、第２シート対２２、２４のシートに固定されない。さらに、第１接合点２５とシート対２４のシートの末端２４ａとの間の距離が、袋の横軸Ｄｔに沿って変化することから、前記のように、バルブを通る固体要素の流路が良好に確保される。
【００６５】
第２接合点２７は、第１、第２、第３シート対２２、２４、２６のシートを互いに対して固定している。
【００６６】
図４により明確に示されるように、複数の第２接合点２７は、第２接合点２７とシート対２６のシートの末端２６ａとの間の距離が袋１２の横軸Ｄｔに沿って変化するように構成されている。
【００６７】
本発明において、「接合点２７と末端２６ａとの距離」は、「接合点２７と末端２６ａとの最短距離」を意味する。
【００６８】
複数の第２接合点２７は、シート対のいずれかのシートの末端と平行に並ぶ第２接合点２７ａの第１組と、第２接合点２７ａよりも末端から遠い第２接合点２７ｂの第２組とを含む。例えば、図４に示すように、第２接合点２７ａは、シート対２６のシートの末端２６ａから距離ｄ’ａだけ離れて設けられ、第２接合点２７ｂは、末端２６ａから距離ｄ’ｂだけ離れて設けられ、距離ｄ’ｂは距離ｄ’ａより長い。
【００６９】
この構成により、図４に示すように、横軸Ｄｔ（すなわち液体挿入軸に略直交する方向）に平行な第２接合点２７間の間隔が、バルブの良好な液密性を保証できる程度の短さに保たれる一方、第２接合点２７ａと第２接合点２７ｂとの間の距離ｌ’が、固体要素が通過可能な程度に広くなる。
【００７０】
よって、前記のように、固体要素は、第２接合点２７ａと２７ｂとの間（間隔ｅ’と距離ｌ’）、次いで第１接合点２５ａと２５ｂとの間（間隔ｅと距離ｌ）を通過可能である。
【００７１】
言い換えると、前記構成により、バルブの液密性をさらに担保しつつ、接合点の間に、固体要素が通過するのに十分な空間を確保することができる。
【００７２】
一つの可能性として、図４に示すように、間隔ｅ’は間隔ｅと略同じでもよい。
【００７３】
一方で、間隔ｅ’を間隔ｅと異ならせることにも利点がある。例えば、間隔ｅ’を間隔ｅより多少長く設定する。この場合、液体が挿入されると、第２接合点２７同士がより離れているため、液体は第２接合点２７によって逆流することなく、さらに下の第１接合点２５に進み、次いで袋１２内に入る。さらに、袋に液体が挿入された後、袋１２の外に向かう液体の流路は、まず間隔の狭い第１接合点２５によって阻害される。これにより、液体漏れをより強力に阻害することができる。
【００７４】
第２接合点２７にバルブの液密性を保たせるためには、間隔ｅ’を長くしすぎない、または間隔ｅよりも長すぎないようにするのが自然である。
【００７５】
間隔ｅ’を間隔ｅより多少短く設定することも可能である。これにより、パウチに液体が挿入された後、袋１２の外に向かう液体の流路は、まず間隔の狭い第１接合点２５によって阻害され、次に、第３シート対２６と、互いに対する近さによって液体漏れを強力に阻害する第２接合点２７とによって阻害される。
【００７６】
さらに、第２接合点２７が、第１組よりさらに末端２６ａから遠い第２接合点２７ｂの第２組を有することで、末端は接合点の存在によって変形しにくく、略直線状の形状を維持する。このようにして、パウチの液密性が向上する。
【００７７】
図示の例では、接合点２７ｂは末端２６ａと平行に並ぶ。これ以外にも、接合点２７ｂが末端２６ａに平行でない方向に並ぶ構成や、接合点が並ばない構成なども可能である。
【００７８】
図示の例では、接合点２７ｂは接合点２７ａに対して千鳥配置されている。換言すると、接合点２７ｂは、末端２６ａに平行に並び、接合点２７ａに対してずれて配置される。この場合、任意の隣り合う接合点２７ａ間の横軸Ｄｔに平行な間隔と、任意の隣り合う接合点２７ｂ間の横軸Ｄｔに平行な間隔とは同じである。
【００７９】
この構成により、第１、第２、第３シート対２２、２４、２６のシートの素材のいかなる変形も均等に分散する。よって、バルブの液密性と強度とが向上する。
【００８０】
前記間隔は、本発明の範囲内において異なる構成であってもよい。
【００８１】
第３実施形態において、図５に示すように、複数の接合点２５、２７は、二つの連続して隣り合う第１接合点２５の間隔が、横軸Ｄｔに沿った、脆弱線１５ｂ近傍の溶着線１４によって形成された袋１２の縁ｄ’から溶着線１４によって形成された袋１２の反対の縁に向かう方向に増加し、二つの連続して隣り合う第２接合点２７の間隔が、横軸Ｄｔに沿った同じ方向に増加するように、構成されている。
【００８２】
より正確には、図５に示すように、連続して隣り合う第１接合点２５の連続する間隔ｅ１、ｅ２、ｅ３、．．．は、以下のように構成される。
ｅ１  ≦  ｅ２  ≦  ｅ３≦  ．．．
【００８３】
同様に、連続して隣り合う第２接合点２７の連続する間隔ｅ’１、ｅ’２、ｅ’３、．．．は、以下のように構成される。
ｅ’１  ≦  ｅ’２  ≦  ｅ’３  ≦  ．．．
【００８４】
この構成により、パウチ１０が平行な方向に対して傾き（すなわち、横軸Ｄｔが垂直方向に対して約３０度から６０度の角度を形成するように）、最も離れた接合点２５、２７が下になったとき、またパウチ１０を異なる濃度の液体を入れるのに用いるとき、液体は重力によって分離され、これによって液体の分離が促進される。
【００８５】
第１接合点２５のみ、または第２接合点２７のみを、二つの連続して隣り合う接合点の間隔が横軸Ｄｔに沿った方向に増加するように構成することも、本発明の範囲内の変形例として考えられる。
【００８６】
以上、本発明を特定の実施形態に基づいて説明したが、請求項が規定する本発明の範囲を超えることなくこれらの実施形態を様々に変形、変更可能であることは明らかである。さらに、実施形態において示された個々の特徴は、さらなる実施形態において接合可能である。前記説明および図面は、限定的ではなく説明的に捉えられるべきものである。
【図１】
0006695852.tif 000002
【図２】
0006695852.tif 000003
【図３】
0006695852.tif 000004
【図４】
0006695852.tif 000005
【図５】
0006695852.tif 000006